(57)【要約】【課題】  箱状の容器に対して、内容物をそのまま取り出せる大きな取り出し口が極めて容易且つ的確に開口され、軽量使用が簡便に行えることを可能にしたブロー成形容器を市販に供せんとする。【解決手段】  蓋部と胴体部を合成樹脂で一体成形された箱状の容器本体であって、そのブロー成形時に蓋部の１角から対角線方向の他角へ向けてプルタブを立設形成すると共に、該プルタブの下方の胴体部の１角にはリブを突出形成させ、且つ該リブと上記プルタブとの間にピンチオフによる比較的短い長さの板状の帯体を作成させるほか、それに続く蓋部と胴体部の境界線となる外周にＶ溝を形成させ、上記プルタブを引っ張ると蓋部が胴体部から引き離されて、蓋部の下方に大きな内容物の取出し口が形成されるものとなす。【選択図】      図１
0003122954.tif 000002
【実用新案登録請求の範囲】
【請求項１】
蓋部と胴体部を合成樹脂で一体成形された箱状の容器本体であって、そのブロー成形時に蓋部の１角から対角線方向の他角へ向けてプルタブを立設形成すると共に、該プルタブの下方の胴体部の１角にはリブを突出形成させ、且つ該リブと上記プルタブとの間にピンチオフによる比較的短い長さの板状の帯体を作成させるほか、それに続く蓋部と胴体部の境界線となる外周にＶ溝を形成させ、上記プルタブを引っ張ると蓋部が胴体部から引き離されて、蓋部の下方に大きな内容物の取出し口が形成されるものとなしたことを特徴とするブロー成形容器。
【請求項２】
板状の帯体は肉厚寸法が０．２ｍｍ〜０．５ｍｍで、且つその始端と後端までの長さ寸法を３ｍｍ〜２０ｍｍとなされることを特徴とする請求項１記載のブロー成形容器。
【考案の詳細な説明】
【技術分野】
【０００１】
本考案は、豆腐等の食品の容器として使用されるブロー成形容器に関する。
【背景技術】
【０００２】
特許文献１及び特許文献２には、胴部よりも細い首部に環状狭窄部を設け、その上部に設けられている把手を引張って上記環状狭窄部から引きちぎって開口する細口瓶状のブロー成形容器が提案されている。これらは何れも細長い首部を環状に取り巻く溝状の凹部であって、それより上方に取付けられた把手或いは摘みを引っ張ることにより、その直下にある凹状の最深部に応力を集中させ、そこからの引き裂きを可能にするものである。
しかし、内容物が豆腐等の固形物である場合、開口部が小さいと取り出せないという問題がある。
【特許文献１】実開昭５３−４５１４７号
【特許文献２】特開２０００−３１８７２１号
【考案の開示】
【考案が解決しようとする課題】
【０００３】
本考案は上記したボトル形状の細首容器に限らず、箱状の容器に対しても、内容物をそのまま取り出せる大きな取り出し口が極めて容易且つ的確に開口され、軽量使用が簡便に行えることを可能にしたブロー成形容器を市販に供せんとするものである。
【課題を解決するための手段】
【０００４】
本考案に係るブロー成形容器は、蓋部と胴体部を合成樹脂で一体成形された箱状の容器本体であって、そのブロー成形時に蓋部の１角から対角線方向の他角へ向けてプルタブを立設形成すると共に、該プルタブの下方の胴体部の１角にはリブを突出形成させ、且つ該リブと上記プルタブとの間にピンチオフによる比較的短い長さの板状の帯体を作成させるほか、それに続く蓋部と胴体部の境界線となる外周にＶ溝を形成させ、上記プルタブを引っ張ると蓋部が胴体部から引き離されて、蓋部の下方に大きな内容物の取出し口が形成されるものとなしたことを特徴とする。このさい、板状の帯体は肉厚寸法が０．２ｍｍ〜０．５ｍｍで、且つその始端と後端までの長さ寸法を３ｍｍ〜２０ｍｍとなさしめる。
【考案の効果】
【０００５】
本考案品は以上の如き構成であり、豆腐などの内容物を入れる箱形のブロー成形容器に於いて、胴体部の外周と同じ大きさの取出し口を効率の良いプルタブの引張り作用で極めて容易且つ的確に形成されるものとなすのであり、また従来品の問題点とされていたボイル殺菌時や輸送時等の内的或は外的要因により切り離し箇所に生じていた不測な引きちぎれやピンホールなどによる破損や漏洩などの問題点を解消することができる上で著効がある。
【考案を実施するための最良の形態】
【０００６】
以下、図面に示す実施の態様について説明する。
図１は本考案品に係るブロー成形容器の斜視図、図２はプルタブを引きちぎった状態を示す斜視図、図３は図１の側面図、図４は図３のＡ−Ａ線断面図、図５は一部拡大説明図である。
【０００７】
各図に於いて、１はブロー成形された合成樹脂製の容器本体であって、１Ａは蓋部、１Ｂは胴体部である。ここに、合成樹脂はポリエチレン樹脂やポリプロピレン樹脂であり、また容器の大きさは凡そ２００ｃｃ〜７００ｃｃの範囲のものとなされる。 
【０００８】
本考案に於いて蓋部１Ａには、開封のさいに引張って取出し口を形成させるプルタブ２が設けてあり、該プルタブ２は蓋部１Ａの１角から対角線方向を跨ぐ垂直方向へ立設状態に取付けたものとなされる。このさい、本考案では上記プルタブ２をそのブロー成形時に、蓋部１Ａの１角から対角線方向の他角へ向けて立設形成させると共に、該プルタブ２の下方の胴体部１Ｂの１角にリブ４を突出形成させ、且つ該リブ４と上記プルタブ２との間にピンチオフによる比較的短い長さの板状の帯体３と、蓋部１Ａと胴体部１Ｂの境界線となる外周にＶ溝５が形成されるものとする。
【０００９】
ところで、上記ピンチオフによる板状の帯体３は一般的にその肉厚寸法及び高さ寸法を凡そ０．２ｍｍ〜０．５ｍｍで、且つ始端ｍから後端ｎに到る長さ寸法を凡そ３ｍｍ〜２０ｍｍとなさしめるのであり、他方Ｖ溝５はこれに引続いて蓋部１Ａと胴体部１Ｂの境界線となる外周に形成されるものとする。而して、蓋部１Ａの下方に対し内容物の取出し口６が形成されるものとなるのであり、該取出し口６は蓋部１Ａの全体を占める範囲となるように大きく設計される。 
【００１０】
７はプルタブ２に穿設した指の挿入孔であって、該挿入孔７の下方箇所に於ける胴体部１Ｂ及び胴体部１Ｂの１角に設けられたリブ４との連結部に対し、上記寸法となした板状の帯体３が形成されるものとなされるのであり、而してプルタブ２はその指挿入孔７付近を手指に持ったり、人指し指で引掛けて矢印方向へ引起すことにより、該プルタブ２を胴体部１Ｂから引きちぎるようになすのであり、そのさいプルタブ２は先ず帯体３の始端ｍから引きちぎられ、その後端ｎからはＶ溝５に沿って引きちぎられて行き、下方に取出し口６が大きく開口されるものとなる。なお、図面で８は内容物の注入口であり、注入後は封塞されるのである。 
【００１１】
本考案に於けるプルタブ２を蓋部１Ａの１角へ立設形成させ、その下方の胴体部１Ｂの１角にリブを突出形成し、プルタブ２とリブ４の間に板状の帯体3を設けたことは、不測の事態で簡単に引き離されないようにするためである。即ちプルタブ２の引張りにより簡単に取出し口６が形成されるようになすためには、常識的にプルタブ２とリブ３の間の切り込みを深く且つ薄くすればする程容易に行えるものとなるが、このようにしたものでは内容物の充填後のボイル殺菌時或は輸送時などの取扱い中にピンホールや不測な引きちぎれなとが生じりするのであるが、本考案品の如く帯体３を形成させたものでは斯有る問題点を防止できる上で著効がある。具体的に言って本考案品では該帯体３が先ず引きちぎられるものとならない限り、取出し口６が形成されるものとならないのである。而して、引きちぎるさいは帯体３の上方にプルタブ２が形成されているため、これを上方へ引っ張るようにすることで引上げ力が該部へ集中し、帯体３が引きちぎれ易くなっている。このさい帯体３のｍ〜ｎの長さ寸法は任意に設定するものであるが、胴体部の大きいものに対しては、比較的長くなるように安全に設計するのである。 
【００１２】
上記実施例ではプルタブ２に指挿入孔７を設けたものについて説明したが、掴み易い他のものとすることができる。
【図面の簡単な説明】
【００１３】
【図１】本考案品に係るブロー成形容器の斜視図である。
【図２】プルタブを引きちぎった状態を示す斜視図である。
【図３】図１の側面図である。
【図４】図３のＡ−Ａ線断面図である。
【図５】一部拡大説明図である。
【符号の説明】
【００１４】
１    容器本体
１Ａ  蓋部
１Ｂ  胴体部
２    プルタブ
３    板状帯体
４    リブ
５    Ｖ溝
６    取出し口
７    指挿入口
【図１】
0003122954.tif 000003
【図２】
0003122954.tif 000004
【図３】
0003122954.tif 000005
【図４】
0003122954.tif 000006
【図５】
0003122954.tif 000007